(57)【要約】【課題】従来の花器は、保管・輸送に大きなスペースを必要とし、壊れやすいという問題があった。これは、ガラスや陶磁器製にて筒状・壺状等に成形されているためである。【解決手段】天装着板の対向する二辺の延長上に折り曲げ線をもって一対の水平装着板を設けて水平状態に併設し、この折り曲げ線を支点として天装着板をアーチ状に湾曲した装着体の対向する水平装着板上に一対の補強板を接着し、この対向する補強板接合辺の延長上に、開閉自在なる折り曲げ線をもって直立し、開閉自在なる折り曲げ線をもって二つ折りした一対の接合片をそれぞれ付設して、底板に設けた係止孔に挿入し、貯水ポリ袋を有して花材を挿入する内枠を装着した外枠を、天装着板に設けた貫通孔に貫通して底板上に載置して、内枠の下部開口部内に補強板の接合片を嵌合し、内枠を装着した外枠を装着体に着脱自在に装着して小さなスペースで保管・輸送が可能な折り畳み式組立花器となる。【選択図】図８
2010158504.tif 000002
【特許請求の範囲】
【請求項１】
装着体は、天装着板の対向する二辺の延長上に開閉自在なる折り曲げ線をもって一対の水平装着板を設け、この対向する折り曲げ線を支点として前記天装着板をアーチ状に湾曲し、前記水平装着板の前記折り曲げ線を有する辺に対向するところの接合辺をもって一対の前記水平装着板を水平状態に併設し、この水平装着板のそれぞれの前記接合辺の延長上に開閉自在なる折り曲げ線をもって直立する一対の係止片を設けてこれを重ね合わせ、前記天装着板の支点に位置する対向する折り曲げ部間に収まる巾をもって前記水平装着板上に重ね合わせるところの底板に設けた係止孔に挿入し、内側に貯水ポリ袋を装着して花材を挿入するところの四角に開閉自在なる折り曲げ線を有する断面形状が四辺形なる筒状の花材保持体を前記天装着板に貫通し、この花材保持体の下部開口部内に前記係止片を嵌合して、前記花材保持体を前記底板上に載置して前記装着体に着脱自在に装着した折り畳み式組立花器。
【請求項２】
前記花材保持体を、四角に開閉自在なる折り曲げ線を有して断面形状の大きさが一回り異なるところの筒状の内枠と外枠の二重構造とし、上部開口縁に沿って貯水ポリ袋の開口縁を接着して花材を挿入するところの前記内枠を、前記外枠内に着脱自在に装着した請求項１記載の折り畳み式組立花器。
【請求項３】
前記水平装着板から一対の前記係止片を取り除き、前記水平装着板の対向する前記接合辺に沿うところの対向する補強板接合辺を有する一対の補強板を、前記水平装着板にそれぞれ重ね合わせて互いに接着し、それぞれの前記補強板接合辺の延長上に開閉自在なる折り曲げ線をもって直立する一対の補強板係止片を設けてこれを重ね合わせて、前記底板に設けた前記係止孔に挿入した請求項１又は請求項２記載の折り畳み式組立花器。
【請求項４】
対向する前記補強板接合辺を、対応的凹凸をもって互いに接合し、このうちの凸部をこの凸部を有する前記水平装着板に対向するところの前記水平装着板上に載置した請求項３記載の折り畳み式組立花器。
【請求項５】
一対の前記補強板係止片の先端を、開閉自在なる折り曲げ線をもって連結し、これを展開して両端の前記水平装着板と一体となるものが、前記天装着板と扁平状に重ね合わされるところの請求項３記載の折り畳み式組立花器。
【請求項６】
前記底板上に載置して前記補強板係止片を挿入するところの保持板係止孔を有する保持板の対向する二辺の延長上に、前記花材保持体の前記内枠と前記外枠の間に挟着して開閉自在なる折り曲げ線をもって直立する一対の側片を有する固定体に、前記花材保持体を着脱自在に装着した請求項５記載の折り畳み式組立花器。
【請求項７】
前記水平装着板及び前記底板を垂直状態とし、これにアーチ状なる前記天装着板の上下に設ける一対の孔のうち、上部の貫通孔に前記花材保持体を貫通し、下部の落下防止孔の開口縁に前記花材保持体の下部開口縁の一部を係止して、前記花材保持体を直立した装着体に着脱自在に装着した請求項５記載の折り畳み式組立壁掛花器。
【請求項８】
前記天装着板をアーチ状に湾曲する上下に一対の支点のうちの上部の支点に位置する開閉自在なる前記折り曲げ線をもって、１８０度開放するところの上部の前記水平装着板の一部からなる取付片により掲示する請求項７記載の折り畳み式組立壁掛花器。
【発明の詳細な説明】
【技術分野】
【０００１】  本発明は、家庭・事務所等で使用されるもので、主として一輪ざし等の小さな花を生けるための組立花器に関する。
【背景技術】
【０００２】  従来、家庭・事務所等で使用される花器は、ガラスや陶磁器製にて筒状・壺状に成形していた。
【発明の開示】
【発明が解決しようとする課題】
【０００３】  背景技術で述べたガラスや陶磁器製にて筒状・壺状に成形された花器は、形状が筒状・壺状であることより保管・輸送に大きなスペースを必要とすることになる。そして、花を生けた状態で落下等しただけでこれが壊れたり、取り扱い中に物に当たってこれが壊れたりするため細心の注意を払う必要があった。【０００４】  本発明は、従来のこのような問題点に鑑みてなされたものであり、その目的とするところは、小さなスペースで保管・輸送が可能な折り畳み方式とし、落下等して壊れることのない組立花器を提供しようとするものである。
【課題を解決するための手段】
【０００５】  そして、本発明は上記目的を達成するために、装着体は、天装着板の対向する二辺の延長上に開閉自在なる折り曲げ線をもって一対の水平装着板を設け、この対向する折り曲げ線を支点として前記天装着板をアーチ状に湾曲し、前記水平装着板の前記折り曲げ線を有する辺に対向するところの接合辺をもって一対の前記水平装着板を水平状態に併設し、この水平装着板のそれぞれの前記接合辺の延長上に開閉自在なる折り曲げ線をもって直立する一対の係止片を設けてこれを重ね合わせ、前記天装着板の支点に位置する対向する折り曲げ部間に収まる巾をもって前記水平装着板上に重ね合わせるところの底板に設けた係止孔に挿入し、内側に貯水ポリ袋を装着して花材を挿入するところの四角に開閉自在なる折り曲げ線を有する断面形状が四辺形なる筒状の花材保持体を前記天装着板に貫通し、この花材保持体の下部開口部内に前記係止片を嵌合して、前記花材保持体を前記底板上に載置して前記装着体に着脱自在に装着した組立花器とするものである。【０００６】  また、第２の課題解決手段は、前記花材保持体を、四角に開閉自在なる折り曲げ線を有して断面形状の大きさが一回り異なるところの筒状の内枠と外枠の二重構造とし、上部開口縁に沿って貯水ポリ袋の開口縁を接着して花材を挿入するところの前記内枠を、前記外枠内に着脱自在に装着した組立花器とするものである。【０００７】  また、第３の課題解決手段は、前記水平装着板から一対の前記係止片を取り除き、前記水平装着板の対向する前記接合辺に沿うところの対向する補強板接合辺を有する一対の補強板を、前記水平装着板にそれぞれ重ね合わせて互いに接着し、それぞれの前記補強板接合辺の延長上に開閉自在なる折り曲げ線をもって直立する一対の補強板係止片を設けてこれを重ね合わせて、前記底板に設けた前記係止孔に挿入した組立花器とするものである。【０００８】  また、第４の課題解決手段は、対向する前記補強板接合辺を、対応的凹凸をもって互いに接合し、このうちの凸部をこの凸部を有する前記水平装着板に対向するところの前記水平装着板上に載置した組立花器とするものである。【０００９】  また、第５の課題解決手段は、一対の前記補強板係止片の先端を、開閉自在なる折り曲げ線をもって連結し、これを展開して両端の前記水平装着板と一体となるものが、前記天装着板と扁平状に重ね合わされるところの組立花器とするものである。【００１０】  また、第６の課題解決手段は、前記底板上に載置して前記補強板係止片を挿入するところの保持板係止孔を有する保持板の対向する二辺の延長上に、前記花材保持体の前記内枠と前記外枠の間に挟着して開閉自在なる折り曲げ線をもって直立する一対の側片を有する固定体に、前記花材保持体を着脱自在に装着した組立壁掛花器とするものである。【００１１】  また、第７の課題解決手段は、前記水平装着板及び前記底板を垂直状態とし、これにアーチ状なる前記天装着板の上下に設ける一対の孔のうち、上部の貫通孔に前記花材保持体を貫通し、下部の落下防止孔の開口縁に前記花材保持体の下部開口縁の一部を係止して、前記花材保持体を直立した装着体に着脱自在に装着した組立壁掛花器とするものである。【００１２】  また、第８の課題解決手��は、前記天装着板をアーチ状に湾曲する上下に一対の支点のうちの上部の支点に位置する開閉自在なる前記折り曲げ線をもって、１８０度開放するところの上部の前記水平装着板の一部からなる取付片により掲示する組立壁掛花器とするものである。【００１３】  上記第１の課題解決手段による作用は次の通りである。すなわち、装着体は、天装着板の対向する二辺の延長上に折り曲げ線をもって一対の水平装着板を設け、この対向する折り曲げ線を支点として前記天装着板をアーチ状に湾曲し、前記水平装着板の前記折り曲げ線を有する辺に対向するところの接合辺をもって一対の前記水平装着板を水平状態に併設し、この水平装着板のそれぞれの前記接合辺の延長上に直立する一対の係止片を設けてこれを重ね合わせ、前記天装着板の支点に位置する対向する折り曲げ部間に収まる巾をもって前記水平装着板上に重ね合わせるところの底板に設けた係止孔に挿入し、内側に貯水ポリ袋を装着して花材を挿入するところの断面形状が四辺形なる筒状の花材保持体を前記天装着板に貫通し、この花材保持体の下部開口部内に前記係止片を嵌合して、前記花材保持体を前記底板上に載置して前記装着体に着脱自在に装着し、これらは開閉自在なる折り曲げ線をもって扁平状に折り畳みができ、小さなスペースで保管・輸送が可能な折り畳み式組立花器となる。【００１４】  また、第２の課題解決手段による作用は、前記花材保持体を、断面形状の大きさが一回り異なるところの筒状の内枠と外枠の二重構造とし、上部開口縁に沿って貯水ポリ袋の開口縁を接着して花材を挿入するところの前記内枠を、前記外枠内に着脱自在に装着し、これらは開閉自在なる折り曲げ線をもって扁平状に折り畳みができ、小さなスペースで保管・輸送が可能となるとともに、貯水ポリ袋を装着して花材を挿入するところの内枠が外枠内に着脱自在に装着される折り畳み式組立花器となる。【００１５】  また、第３の課題解決手段による作用は、前記水平装着板から一対の前記係止片を取り除き、前記水平装着板の対向する前記接合辺に沿うところの対向する補強板接合辺を有する一対の補強板を、前記水平装着板にそれぞれ重ね合わせて互いに接着し、それぞれの前記補強板接合辺の延長上に直立する一対の補強板係止片を設けてこれを重ね合わせて、前記底板に設けた前記係止孔に挿入し、これらは開閉自在なる折り曲げ線をもって扁平状に折り畳みができ、小さなスペースで保管・輸送が可能となるとともに、水平装着板が補強板により補強される折り畳み式組立花器となる。【００１６】  また、第４の課題解決手段による作用は、対向する前記補強板接合辺を、対応的凹凸をもって互いに接合し、このうちの凸部をこの凸部を有する前記水平装着板に対向するところの前記水平装着板上に載置し、装着体を安定した状態にすることができる折り畳み式組立花器となる。【００１７】  また、第５の課題解決手段による作用は、一対の前記補強板係止片の先端を、開閉自在なる折り曲げ線をもって連結し、これを展開して両端の前記水平装着板と一体となるものが、前記天装着板と扁平状に重ね合わされるところの、装着体を安定した状態にすることができる折り畳み式組立花器となる。【００１８】  また、第６の課題解決手段による作用は��前記底板上に載置して前記補強板係止片を挿入するところの保持板係止孔を有する保持板の対向する二辺の延長上に、前記花材保持体の前記内枠と前記外枠の間に挟着して直立する一対の側片を有する固定体に、前記花材保持体を着脱自在に装着し、これらは開閉自在なる折り曲げ線をもって扁平状に折り畳みができ、小さなスペースで保管・輸送が可能となるとともに、花材保持体を安定した状態にすることができる折り畳み式組立花器となる。【００１９】  また、第７の課題解決手段による作用は、前記水平装着板及び前記底板を垂直状態とし、これにアーチ状なる前記天装着板の上下に設ける一対の孔のうち、上部の貫通孔に前記花材保持体を貫通し、下部の落下防止孔の開口縁に前記花材保持体の下部開口縁の一部を係止して、前記花材保持体を直立した装着体に着脱自在に装着し、これらは開閉自在なる折り曲げ線をもって扁平状に折り畳みができ、小さなスペースで保管・輸送が可能となるとともに、装着体を安定した垂直状態にすることができる折り畳み式組立壁掛花器となる。【００２０】  また、第８の課題解決手段による作用は、前記天装着板をアーチ状に湾曲する上下に一対の支点のうちの上部の支点に位置する開閉自在なる前記折り曲げ線をもって、１８０度開放するところの上部の前記水平装着板の一部からなる取付片により掲示し、装着体を安定した垂直状態にすることができる折り畳み式組立壁掛花器となる。
【発明の効果】
【００２１】  上述したように本発明における小さなスペースで保管・輸送が可能な折り畳み式組立花器は、花材を挿入する花材保持体が、装着体に着脱自在に装着され、安定した状態にて掲示されることができる。【００２２】  また、花材を挿入する花材保持体が、貯水ポリ袋を装着する内枠と、外観的に多様なものにするところの外枠に二重構造となり、内枠は外枠内に着脱自在に装着され、生の花材のための水の注入が容易となる。【００２３】  また、併設した一対の水平装着板が、補強板により二重構造となって補強されるとともに、一対の補強板係止片により接合され、装着体はより安定した状態にすることができる。【００２４】  また、一対の水平装着板に接着した一対の補強板のうち、一方の補強板の凸部が他方の水平装着板上に載置され、装着体はより安定した状態にすることができる。【００２５】  また、一対の水平装着板の間に付設する一対の前記補強板係止片の先端を連結して、環状なる装着体となり、より安定した状態にすることができる。【００２６】  また、補強板係止片を係止した保持板に直立した一対の側片を、内枠と外枠の間に挟着して、広口な花材保持体も安定した状態にすることができる。【００２７】  また、垂直状態とした装着体のアーチ状なる天装着板の上下に一対の孔に、花材保持体が着脱自在に安定した状態にて壁掛用として装着されることができる。【００２８】  また、垂直状態とした上下に一対の水平装着板のうちの上部の水平装着板の一部からなる取付片をもって、安定した状態にて壁掛用として掲示されることができる。
【発明の実施するための最良の形態】
【００２９】  以下、本発明の実施の形態１〜４を、図１〜図１５に基づいて説明する。
【００３０】  先ず、実施の形態１を示す図１〜図７において、組立花器Ａは、装着体Ｂ、補強板１、２、底板３、花材保持体Ｃより構成されている。
装着体Ｂは、１枚の厚み０．３ｍｍ程度にて、ある程度の弾性を有するところの厚紙からなり、天装着板４と一対の水平装着板５、６より構成されており、四辺４Ａ〜４Ｄからなる長方形の外形形状なる天装着板４の対向する短辺４Ｂ、４Ｄには、それぞれ四辺５Ａ〜５Ｄ、６Ａ〜６Ｄからなる四辺形の互いに同等なる大きさからなる一対の水平装着板５、６を、折り曲げ線４Ｅ、４Ｆをもってそれぞれ付設し、折り曲げ部４Ｇ、４Ｈを形成している。
また、天装着板４は開閉自在なる対向する折り曲げ線４Ｅ、４Ｆを支点としてアーチ状に湾曲し、一対の水平装着板５、６は、天装着板４と折り曲げ部４Ｇ、４Ｈを形成するところの辺５Ｄ、６Ｂに対向するそれぞれの接合辺５Ｂ、６Ｄを互いに接合して水平状態に併設している。
【００３１】  厚み０．５ｍｍ程度の厚紙からなる一対の補強板１、２は、装着体Ｂの併設した一対の水平装着板５、６の大きさとほぼ同等にて、それぞれ四辺１Ａ〜１Ｄ、２Ａ〜２Ｄからなる四辺形の外形形状とし、水平装着板５、６の接合辺５Ｂ、６Ｄに対応するところの補強板接合辺１Ｄ、２Ｂを互いに接合して、この一対の補強板１、２は対応する一対の水平装着板５、６にそれぞれ重ね合わせて互いに接着している。
また、この一対の補強板１、２の補強板接合辺１Ｄ、２Ｂの中央には、開閉自在なる折り曲げ線１Ｅ、２Ｅをもって直立するところの、四辺１Ｇ〜１Ｊ、２Ｇ〜２Ｊからなる四辺形の係止片１Ｆ、２Ｆをそれぞれ付設している。
なお、この四辺１Ｇ〜１Ｊ、２Ｇ〜２Ｊからなる係止片１Ｆ、２Ｆのうちの、折り曲げ線１Ｅ、２Ｅを有する辺１Ｈ、２Ｊに対向する辺１Ｊ、２Ｈの両端は、底板３の係止孔３Ａにスムーズに挿入できるように、丸みをもつところの曲線にて形成されている。
また、一対の補強板１、２の補強板接合辺１Ｄ、２Ｂの端部には、折り曲げ線は有しないところの四辺形の補強片１Ｋ、２Ｋをそれぞれ付設し、一対の補強片１Ｋ、２Ｋのうち、水平装着板５に接着した補強板１の補強片１Ｋは水平装着板６上に載置し、また、水平装着板６に接着した補強板２の補強片２Ｋは水平装着板５上に載置している。すなわち、それぞれの補強片１Ｋ、２Ｋは、その補強片１Ｋ、２Ｋを有する補強板１、２を接着した水平装着板５、６に対向するところの水平装着板５、６上にそれぞれ載置している。なお、この補強片１Ｋ、２Ｋが載置される水平装着板５、６において、補強片１Ｋ、２Ｋが接触しない範囲にて補強板１、２の一部は取り除かれている。
【００３２】  底板３は厚み０．５ｍｍ程度の厚紙からなり、一対の補強板１、２を併設したものと同等な大きさにて、かつ、装着体Ｂの対向する折り曲げ部４Ｇ、４Ｈ間に収まる巾をもつところの長方形の外形形状からなり、補強板１、２上に載置するものである。
また、底板３の中央には、併設した補強板１、２の一対の係止片１Ｆ、２Ｆが、直立状態に重ね合わせられて挿入されるところの係止孔３Ａを設けている。
【００３３】  花材保持体Ｃは、内枠７、貯水ポリ袋８、外枠９から構成されており、内枠７は、１枚の厚み０．２ｍｍ程度の厚紙を用い、４枚の長方形の側板７Ａ〜７Ｄからなるところの断面形状が四辺形なる筒状にしたものであり、４角７Ｅ〜７Ｈのうちの角７Ｈにて、一方の側板７Ｄにのり代７Ｉを設けて他方の側板７Ａに合成接着剤で貼り合わせている。
また、４角７Ｅ〜７Ｈに折り曲げ線７Ｊ〜７Ｍを配設して、内枠７は扁平状に折り畳まれることとなる。
また、貯水ポリ袋８は、市販のポリ収納袋の開口縁８Ａを、内枠７の上部開口縁７Ｎに合成接着剤にて接着したところの貯水容器である。
【００３４】  外枠９は、内枠７と同様な要領にて組立するものであり、１枚の厚み０．２ｍｍ程度の厚紙を用い、４枚の長方形の側板９Ａ〜９Ｄからなるところの断面形状が、内枠７より一回り大きいところの四辺形であり、内枠７とほぼ同等なる高さからなるところの筒状にしたものであり、４角９Ｅ〜９Ｈのうちの角９Ｈにて、一方の側板９Ｄにのり代９Ｉを設けて他方の側板９Ａに合成接着剤で貼り合わせている。
また、４角９Ｅ〜９Ｈには折り曲げ線９Ｊ〜９Ｍを配設して、外枠９も扁平状に折り畳まれることとなる。
【００３５】  したがって、天装着板４をアーチ状に湾曲し、一対の水平装着板５、６を水平状態に併設する装着体Ｂは、水平装着板５、６に接着する補強板１、２により二重構造となって補強されたものとなるとともに、一対の補強板１、２に設けたそれぞれの係止片１Ｆ、２Ｆを重ね合わせて、一対の補強板１、２上に載置される底板３の係止孔３Ａに挿入して一対の水平装着板５、６は確実に接合され、また、一対の補強板１、２に設けたそれぞれの補強片１Ｋ、２Ｋを、その補強片１Ｋ、２Ｋを有する補強板１、２を接着した水平装着板５、６に対向するところの水平装着板５、６上にそれぞれ載置して、装着体Ｂは安定した状態にすることができる。
また、花材を挿入する内枠７内に生花をいけるための貯水ができる貯水ポリ袋８を装着して、この内枠７を外枠９内に着脱自在に装着し、天装着板４には対向する短辺４Ｂ、４Ｄに平行するところの対角線をもって、外枠９の断面形状より一回り大きい四辺形の貫通孔４Ｉを設けており、外枠９を直立した状態にて天装着板４の貫通孔４Ｉに貫通して底板３上に載置している。この時、補強板１、２の係止片１Ｆ、２Ｆの折り曲げ線１Ｅ、２Ｅを有する辺１Ｈ、２Ｊに対向するところの辺１Ｊ、２Ｈは、内枠７の断面形状の対角線より短い長さとしており、底板３の係止孔３Ａに挿入して突出した補強板１、２の係止片１Ｆ、２Ｆを、内枠７の下部開口部７Ｐ内に嵌合して、内枠７を装着した外枠９は、装着体Ｂに安定した直立状態にて着脱自在に装着されることとなるこの組立花器Ａは、開閉自在なる折り曲げ線をもって扁平状に折り畳みができ、小さなスペースで保管・輸送が可能な折り畳み式組立花器となる。
【００３６】  上記の実施例において、天装着板４、水平装着板５、６、補強板１、２、底板３、内枠７、外枠９は厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよい。
また、内枠７を断面形状が四辺形なる筒状としているが、折り畳みが可能なところの円筒であってもよい。
また、外枠９の側板９Ａ〜９Ｄに強度を必要とする場合、上部開口縁で折り返して側板を二重構造とし、さらに、この二重構造の間に別の補強板を下方向より挿入するならば、側板は強度のあるものとなる。
また、貯水ポリ袋８は、ポリ収納袋の開口縁８Ａを内枠７の上部開口縁７Ｎに接着しているが、内枠７の上部開口縁７Ｎに折り返しを設け、この折り返しを、内枠７の上部開口縁７Ｎに接着したポリ収納袋の開口縁８Ａ上に接着するならば、ポリ収納袋はより確実に内枠７に接着できると共に、外観的にも好ましいものとなる。
また、貯水ポリ袋８の貯水容器は必ずしもポリ収納袋とする必要もなく、市販の紙コップやプラスチック等の成形されたものを内枠７内に装着してもよいし、これを内枠としてもよい。
【００３７】  また、天装着板４を四辺４Ａ〜４Ｄからなる長方形の外形形状として、対向する辺４Ａと４Ｃ、及び、４Ｂと４Ｄはそれぞれ平行としているが、これを必ず平行とする必要はなく、また、辺４Ａと４Ｃは曲線を有するものであってもよい。
また、天装着板４の両端の水平装着板５、６に、一対の補強板１、２をそれぞれ接着し、この補強板１、２の一対の補強片１Ｋ、２Ｋを、対向する水平装着板５、６上に載置して装着体Ｂを安定した状態にしているが、この装着体Ｂを今後分解することがないのであれば、一対の係止片１Ｆ、２Ｆを互いに接着し、また、補強板１、２を底板３に接着すれば装着体Ｂはより安定した状態となる。
【００３８】  次に、実施の形態２を示す図８〜１０において、組立花器Ｄは、装着体Ｅ、底板３、花材保持体Ｃより構成されている。
実施の形態２は、上記実施の形態１における組立花器Ａを、補強板１３、１４をもって環状なる装着体Ｅによるものとする実施例である。
なお、底板３、花材保持体Ｃは、実施の形態１におけるものと同等であり、小さなスペースで保管・輸送が可能な折り畳み式組立花器となるものである。
【００３９】  装着体Ｅは、１枚の厚み０．３ｍｍ程度にて、ある程度の弾性を有するところの厚紙からなり、天装着板１０と一対の水平装着板１１、１２、及び一対の補強板１３、１４より構成されている。
このうち、天装着板１０と一対の水平装着板１１、１２は、上記実施の形態１における天装着板４と一対の水平装着板５、６と同等であり、天装着板１０の四辺１０Ａ〜１０Ｄ、折り曲げ線１０Ｅ、１０Ｆ、折り曲げ部１０Ｇ、１０Ｈ、貫通孔１０Ｉ、及び水平装着板１１、１２の四辺１１Ａ〜１１Ｄ、１２Ａ〜１２Ｄ、接合辺１１Ｂ、１２Ｄは、上記実施の形態１の天装着板４の四辺４Ａ〜４Ｄ、折り曲げ線４Ｅ、４Ｆ、折り曲げ部４Ｇ、４Ｈ、貫通孔４Ｉ、及び水平装着板５、６の四辺５Ａ〜５Ｄ、６Ａ〜６Ｄ、接合辺５Ｂ、６Ｄに相当するものである。
【００４０】  補強板１３、１４は厚み０．５ｍｍ程度の厚紙からなり、それぞれ四辺１５Ａ〜１５Ｄ、１６Ａ〜１６Ｄからなる四辺形の互いに同等なる大きさからなる一対の接着面１５、１６と、それぞれ四辺１７Ａ〜１７Ｄ、１８Ａ〜１８Ｄからなる四辺形の互いに同等なる大きさからなる一対の接合片１７、１８から構成され、この接着面１５と接合片１７、及び接着面１６と接合片１８は、それぞれ開閉自在なる折り曲げ線１３Ａ、１４Ａをもって連結して一体とされており、この折り曲げ線１３Ａ、１４Ａが水平装着板１１、１２の接合辺１１Ｂ、１２Ｄ上に位置するように、一対の接着面１５、１６は一対の水平装着板１１、１２上にそれぞれ接着されている。
また、一対の接合片１７、１８の四辺１７Ａ〜１７Ｄ、１８Ａ〜１８Ｄのうち、辺１７Ｂと１８Ｄは開閉自在なる折り曲げ線１９をもって連結し接合片１７と１８は一体となっている。
なお、一対の接合片１７、１８を互いに重ね合わせた場合の辺１７Ｂ、１８Ｄは、底板３の係止孔３Ａに挿入できる長さとなっているとともに、この両端は底板３の係止孔３Ａにスムーズに挿入できるように、丸みをもつところの曲線にて形成されている。
【００４１】  したがって、装着体Ｅは、対向する水平装着板１１、１２に、互いに連結された補強板１３、１４がそれぞれ接着されて、天装着板１０と折り曲げ部１０Ｇ、１０Ｈをもって環状に連結されたものとなる。
また、互いに重ね合わせた一対の接合片１７、１８を、底板３の係止孔３Ａに挿入して一対の水平装着板１１、１２は接合辺１１Ｂ、１２Ｄをもって互いに接合されることとなって、天装着板１０は、対向する折り曲げ線１０Ｅ、１０Ｆを支点としてアーチ状に湾曲されることとなり、上記実施の形態１で述べたところの同様な要領にて、花材保持体Ｃを直立した状態にて天装着板１０の貫通孔１０Ｉに貫通して底板３上に載置し、花材保持体Ｃが装着体Ｅに安定した直立状態にて着脱自在に装着されることとなる。
また、この連結された水平装着板１１、１２は、天装着板１０の両端の折り曲げ部１０Ｇ、１０Ｈをもって天装着板１０に、扁平状に重ね合わされることとなり、小さなスペースで保管・輸送が可能な折り畳み式組立花器となる。
【００４２】  上記の実施例において、天装着板１０、水平装着板１１、１２、補強板１３、１４は厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよい。
【００４３】  次に、実施の形態３を示す図１１〜１３において、組立花器Ｑは、装着体Ｒ、底板３、花材保持体Ｃ、固定体Ｓより構成されている。
実施の形態３は、上記実施の形態２における底板３上に固定体Ｓを載置して花材保持体Ｃを装着する実施例である。
なお、底板３、花材保持体Ｃは、実施の形態２におけるものと同等であり、小さなスペースで保管・輸送が可能な折り畳み式組立花器となるものである。
【００４４】  装着体Ｒは、天装着板２０と一対の水平装着板１１、１２及び一対の補強板１３、１４より構成されており、このうち、水平装着板１１、１２と補強板１３、１４は実施の形態２におけるものと同等である。
また、天装着板２０も、上記実施の形態２における天装着板１０と同等であり、四辺２０Ａ〜２０Ｄ、折り曲げ線２０Ｅ、２０Ｆ、折り曲げ部２０Ｇ、２０Ｈは、上記実施の形態２の四辺１０Ａ〜１０Ｄ、折り曲げ線１０Ｅ、１０Ｆ、折り曲げ部１０Ｇ、１０Ｈに相当するものである。
ただし、上記実施の形態２において貫通孔１０Ｉは、交差する対角線のうちの一方の対角線が天装着板１０の対向する短辺１０Ｂ、１０Ｄに平行し、他方の対角線が天装着板１０の対向する長辺１０Ａ、１０Ｃに平行するような四辺形としているが、天装着板２０における外形形状が四辺形なる貫通孔２０Ｉは、天装着板２０の四辺２０Ａ〜２０Ｄにそれぞれ平行とする辺より形成される四辺形としている。
【００４５】  保持板２１と一対の側片２２、２３から構成される固定体Ｓは厚み０．５ｍｍ程度の厚紙からなり、保持板２１は外形形状が四辺２１Ａ〜２１Ｄからなる四辺形とし、このうちの対向する二辺２１Ｂ、２１Ｄの延長上には、開閉自在なる折り曲げ線２１Ｅ、２１Ｆをもって直立するところの、四辺２２Ａ〜２２Ｄ、２３Ａ〜２３Ｄからなる一対の側片２２、２３を設けている。
また、保持板２１の中央には、補強板１３、１４の直立状態に重ね合わせられた接合片１７、１８が挿入され、四辺２６Ａ〜２６Ｄのうちの長辺２６Ｂ、２６Ｄが保持板２１の対向する二辺２１Ｂ、２１Ｄに平行するところの長方形からなる保持孔２６を設けている。
【００４６】  したがって、上記実施の形態２で述べたところの同様な要領にて組立する、装着体Ｒ、底板３、花材保持体Ｃによる小さなスペースで保管・輸送が可能な折り畳み式組立花器において、底板３に固定体Ｓの保持板２１を載置するとき、中央の保持孔２６に補強板１３、１４の接合片１７、１８が挿入されて保持板２１は底板３に固定されることとなる。また、固定体Ｓの直立するところの一対の側片２２、２３を花材保持体Ｃの内枠７と外枠９の間に挿入して、この花材保持体Ｃが固定体Ｓに固定されることとなり、花材保持体Ｃは安定した直立状態にて装着体Ｒに着脱自在に装着されることとなる。
また、固定体Ｓの一対の側片２２、２３も開閉自在なる折り曲げ線２１Ｅ、２１Ｆをもって直立しており、小さなスペースで保管・輸送が可能な折り畳み式組立花器Ｑとなるものである。
なお、四辺２２Ａ〜２２Ｄ、２３Ａ〜２３Ｄからなる一対の側片２２、２３のうちの、それぞれの上辺２２Ｂ、２３Ｂの両端は外枠９内にスムーズに挿入できるように、丸みをもつところの曲線にて形成されている。
また、花材保持体Ｃの外枠９と内枠７のうち、内枠７は固定体Ｓの保持板２１上に載置しており、内枠７の高さは外枠９より短いものとなっている。
【００４７】  上記の実施例において、固定体Ｓは厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよい。
また、花材保持体Ｃの内枠７は、外枠９より一回り小さいところの断面形状からなるものとしているが、花材保持体Ｃがより安定して装着体Ｒに装着されるように、内枠７を垂直方向に分割し、この分割内枠間に、固定体Ｓの保持孔２６に挿入した補強板１３、１４の接合片１７、１８を挟着してもよい。
また、固定体Ｓの側片２２、２３は、保持孔２６の長辺２６Ｂ、２６Ｄに平行するところの対向する二辺２１Ｄ、２１Ｂに設けているが、固定体Ｓの側片を、保持孔２６の短辺２６Ａ、２６Ｃに平行するところの対向する二辺２１Ａ、２１Ｃに設けてもよい。なお、保持板２１の四辺２１Ａ〜２１Ｄすべてに側片を設けるならば、より安定したものとなることは言うまでもない。
【００４８】  次に、実施の形態４を示す図１４、１５において、組立壁掛花器Ｔは、装着体Ｕ、底板３、花材保持体Ｃより構成されている。
実施の形態４は、上記実施の形態２における水平状態の装着体Ｅを垂直状態とし、これに併設するアーチ状の天装着板１０に花材保持体Ｃを垂直状態に装着する実施例である。
なお、底板３、花材保持体Ｃは、実施の形態２におけるものと同等であり、小さなスペースで保管・輸送が可能な折り畳み式組立壁掛花器となるものである。
【００４９】  装着体Ｕは、実施の形態２における装着体Ｅの天装着板１０の四辺１０Ａ〜１０Ｄのうちの、短辺１０Ｄを上に、短辺１０Ｂを下に垂直状態にしたものであり、天装着板２４と一対の水平装着板１１、２５及び一対の補強板１３、１４より構成されており、このうち、水平装着板１１及び補強板１３、１４は実施の形態２におけるものと同等である。
また、天装着板２４も、上記実施の形態２における装着体Ｅの天装着板１０と同等であり、四辺２４Ａ〜２４Ｄ、折り曲げ線２４Ｅ、２４Ｆ、折り曲げ部２４Ｇ、２４Ｈは、上記実施の形態２の四辺１０Ａ〜１０Ｄ、折り曲げ線１０Ｅ、１０Ｆ、折り曲げ部１０Ｇ、１０Ｈに相当するものである。
ただし、上記実施の形態２においては１個の貫通孔１０Ｉが対向する短辺１０Ｂと１０Ｄの中間に位置しているが、実施の形態４においては、上記実施の形態２における貫通孔１０Ｉとほぼ同等の形状からなるところの貫通孔２４Ｉと落下防止孔２４Ｊを上下に２個設けており、花材保持体Ｃを垂直状態の水平装着板１１、２５及び底板３に併設してアーチ状の天装着板２４に上方向より挿入し、天装着板２４の裏面と、垂直状態の底板３に水平状態に突出した接合片１７、１８の先端辺１７Ｂ、１８Ｄとの間に位置する時、上部の貫通孔２４Ｉは外枠９の断面形状より一回り大きい四辺形からなって花材保持体Ｃを貫通し、下部の落下防止孔２４Ｊには外枠９の四辺形なる下部開口縁９Ｎのうちの一部のみが挿入され、落下防止孔２４Ｊは花材保持体Ｃが貫通できない四辺形となっている。
【００５０】  また、垂直状態なる上下に一対の水平装着板１１、２５のうちの水平装着板２５も、上記実施の形態２における水平装着板１２と同等であり、四辺２５Ａ〜２５Ｄ、接合辺２５Ｄは、上記実施の形態２の四辺１２Ａ〜１２Ｄ、接合辺１２Ｄに相当するものである。
ただし、上部の水平装着板２５には、四辺２５Ａ〜２５Ｄのうちの天装着板２４と連結する辺２５Ｂ上に始点２５Ｅ及び終点２５Ｆを位置するところのコ字形の切込線からなる取付片２５Ｇを設け、この取付片２５Ｇを天装着板２４と連結する辺２５Ｂ上の折り曲げ線２４Ｆでもって上方向に１８０度開放できるようにしている。
【００５１】  したがって、上記実施の形態２で述べたところの同様な要領にて組立した、装着体Ｕ、底板３、花材保持体Ｃによる小さなスペースで保管・輸送が可能な折り畳み式組立花器において、垂直状態なる装着体Ｕの天装着板２４の上部の貫通孔２４Ｉに挿入した花材保持体Ｃは、この下部開口縁９Ｎの一部が、下部の落下防止孔２４Ｊに係止されて、花材保持体Ｃが直立状態にて装着体Ｕに着脱自在に装着されることとなる。
また、上部の水平装着板２５の一部に設けた１８０度開閉自在なる取付片２５Ｇを、垂直面に接着して、花材保持体Ｃを装着した装着体Ｕを容易に掲示できる折り畳み式組立壁掛花器Ｔとなる。
【００５２】  上記の実施例において、貫通孔２４Ｉ及び落下防止孔２４Ｊの外形形状は、交差する対角線のうちの一方の対角線が、天装着板２４の対向する短辺２４Ｂ、２４Ｄに平行し、他方の対角線が天装着板２４の対向する長辺２４Ａ、２４Ｃに平行するような四辺形としているが、外形形状が四辺形なる貫通孔２４Ｉ及び落下防止孔２４Ｊを形成する四辺を、天装着板２４の四辺２４Ａ〜２４Ｄにそれぞれ平行とする四辺形としてもよい。
また、取付片２５Ｇを垂直面に接着して装着体Ｕを掲示しているが、取付片２５Ｇを押しピン等で掲示してもよい。また、取付片２５Ｇに孔を設けて、吊り下げフック、又は、吊り下げ紐等で掲示してもよい。
また、天装着板２４は、上下の折り曲げ部２４Ｇ、２４Ｈをもってアーチ状に湾曲しているが、天装着板２４には装着する花材保持体Ｃの重量が加わることにより、上下の折り曲げ部２４Ｇ、２４Ｈのうち、下の折り曲げ部２４Ｇより上の折り曲げ部２４Ｈが鋭角的となることは言うまでもなく、そこで、天装着板２４を上下の折り曲げ部２４Ｇ、２４Ｈがほぼ同等なる角度をもってアーチ状となるように、天装着板２４又は水平装着板１１、２５の裏側に弾性を有する紙やプラスチック等の補強板を付設してもよい。
また、垂直状態の底板３に水平状態に突出した接合片１７、１８が外観上好ましくない場合は、底板３、または、天装着板２４と同色なるもの等による袋状のカバーをこれに被せてもよい。
【図面の簡単な説明】
【００５３】
【図１】本発明の実施の形態１を示す組立花器Ａの正面より見た要部断面図
【図２】同組立花器Ａの平面より見た要部断面図
【図３】同装着体の展開図
【図４】同一対の補強板の展開図
【図５】同底板の平面図
【図６】同組立られた状態の内枠の平面より見た要部断面図
【図７】同組立られた状態の外枠の平面より見た要部断面図
【図８】本発明の実施の形態２を示す組立花器Ｄの正面より見た要部断面図
【図９】同組立花器Ｄの平面より見た要部断面図
【図１０】同一対の接合片が分割された状態の装着体の内側より見た展開図
【図１１】本発明の実施の形態３を示す組立花器Ｑの正面より見た要部断面図
【図１２】同装着体の展開図
【図１３】同固定体の展開図
【図１４】本発明の実施の形態４を示す組立壁掛花器Ｔの側面より見た要部断面図
【図１５】同装着体の展開図
【符号の説明】
【００５４】                                                        Ａ、Ｄ、Ｑ  組立花器
Ｂ、Ｅ、Ｒ、Ｕ  装着体
Ｃ  花材保持体
Ｓ  固定体
Ｔ  組立壁掛花器
１、２、１３、１４  補強板
１Ａ〜１Ｄ、１Ｇ〜１Ｊ、２Ａ〜２Ｄ、２Ｇ〜２Ｊ、４Ａ〜４Ｄ
５Ａ〜５Ｄ、６Ａ〜６Ｄ、１０Ａ〜１０Ｄ、１１Ａ〜１１Ｄ
１２Ａ〜１２Ｄ、１３Ａ〜１３Ｄ、１４Ａ〜１４Ｄ、１５Ａ〜１５Ｄ
１６Ａ〜１６Ｄ、１７Ａ〜１７Ｄ、１８Ａ〜１８Ｄ、２０Ａ〜２０Ｄ
２１Ａ〜２１Ｄ、２２Ａ〜２２Ｄ、２３Ａ〜２３Ｄ、２４Ａ〜２４Ｄ
２５Ａ〜２５Ｄ、２６Ａ〜２６Ｄ  辺
１Ｅ、２Ｅ、４Ｅ、４Ｆ、７Ｊ〜７Ｍ、９Ｊ〜９Ｍ、１０Ｅ、１０Ｆ
１３Ａ、１４Ａ、１９、２０Ｅ、２０Ｆ、２１Ｅ、２１Ｆ、２４Ｅ
２４Ｆ  折り曲げ線
１Ｄ、２Ｂ  補強板接合辺
１Ｆ、２Ｆ  係止片
１Ｋ、２Ｋ  補強片
３  底板
３Ａ  係止孔
４、１０、２０、２４  天装着板
４Ｇ、４Ｈ、１０Ｇ、１０Ｈ、２０Ｇ、２０Ｈ、２４Ｇ、２４Ｈ      折り曲げ部
４Ｉ、１０Ｉ、２０Ｉ、２４Ｉ  貫通孔
５、６、１１、１２、２５  水平装着板
５Ｂ、６Ｄ、１１Ｂ、１２Ｄ、２５Ｄ  接合辺
７  内枠
７Ａ〜７Ｄ、９Ａ〜９Ｄ  側板
７Ｅ〜７Ｈ、９Ｅ〜９Ｈ  角
７Ｉ、９Ｉ  のり代
７Ｎ  上部開口縁
７Ｐ  下部開口部
８  貯水ポリ袋
８Ａ  開口縁
９  外枠
９Ｎ  下部開口縁
１５、１６  接着面
１７、１８  接合片
２１  保持板
２２、２３  側片
２４Ｊ  落下防止孔
２５Ｇ  取付片
２５Ｅ  始点
２５Ｆ  終点
２６  保持孔
【図１】
2010158504.tif 000003
【図２】
2010158504.tif 000004
【図３】
2010158504.tif 000005
【図４】
2010158504.tif 000006
【図５】
2010158504.tif 000007
【図６】
2010158504.tif 000008
【図７】
2010158504.tif 000009
【図８】
2010158504.tif 000010
【図９】
2010158504.tif 000011
【図１０】
2010158504.tif 000012
【図１１】
2010158504.tif 000013
【図１２】
2010158504.tif 000014
【図１３】
2010158504.tif 000015
【図１４】
2010158504.tif 000016
【図１５】
2010158504.tif 000017